【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
光源手段と、前記光源手段から射出された光束を偏向手段に入射させる入射光学系と、前記偏向手段の偏向面により偏向走査された光束を被走査面の上に結像させる結像光学系と、前記偏向手段の偏向面により偏向走査された光束の一部を検出する同期検出素子と、前記偏向手段の偏向面で偏向走査された光束の一部を前記同期検出素子に導光する同期検出用光学系と、を有する走査光学装置を複数用いた走査光学ユニットであって、
前記複数の走査光学装置のうち、黒色画像を形成する走査光学装置の同期検出用光学系の主走査断面内の焦点距離をｆｇＢＫ（ｍｍ）、黒色画像を形成する走査光学装置の結像光学系の主走査断面内の焦点距離をｆＢＫ（ｍｍ）、黒色画像以外の色画像を形成する走査光学装置の同期検出用光学系の主走査断面内の焦点距離をｆｇｓ（ｍｍ）、黒色画像以外の色画像を形成する結像光学系の主走査断面内の焦点距離をｆｓ（ｍｍ）とするとき、
ｆＢＫ／ｆｇＢＫ＜ｆｓ／ｆｇｓ
なる条件を満足することを特徴とする走査光学ユニット。
【請求項２】
前記黒色画像を形成する走査光学装置と、前記黒色画像以外の色画像を形成する走査光学装置は、
１．０＜（ｆｓ／ｆｇｓ）／（ｆＢＫ／ｆｇＢＫ）＜６．０
なる条件を満足することを特徴とする請求項１に記載の走査光学ユニット。
【請求項３】
前記黒色画像を形成する走査光学装置と、前記黒色画像以外の色画像を形成する走査光学装置は、
１＜ｆｓ／ｆｇｓ＜１０
１＜ｆＢＫ／ｆｇＢＫ＜１０
なる条件を満足することを特徴とする請求項１又は２に記載の走査光学ユニット。
【請求項４】
前記複数の走査光学装置における同期検出用光学系を構成する同期検出用光学素子は、同一の光学性能であることを特徴とする請求項１乃至３の何れか一項に記載の走査光学ユニット。
【請求項５】
請求項１乃至４の何れか一項に記載の走査光学ユニットと、前記複数の走査光学装置の被走査面の各々に設けられた互いに異なった色の画像を形成する複数の感光ドラムと、を有することを特徴とするカラー画像形成装置。
【請求項６】
外部機器から入力した色信号を異なった色の画像データに変換して各々の走査光学装置に入力せしめるプリンタコントローラを有することを特徴とする請求項５に記載のカラー画像形成装置。
【手続補正２】
【補正対象書類名】明細書
【補正対象項目名】発明の名称
【補正方法】変更
【補正の内容】
【発明の名称】走査光学ユニット及びそれを用いたカラー画像形成装置
【手続補正３】
【補正対象書類名】明細書
【補正対象項目名】０００１
【補正方法】変更
【補正の内容】
【０００１】
本発明は走査光学ユニット及びそれを用いたカラー画像形成装置に関し、電子写真プロセスを有するレーザービームプリンタやデジタル複写機やマルチファンクションプリンタ（多機能プリンタ）等の画像形成装置に好適なものである。
【手続補正４】
【補正対象書類名】明細書
【補正対象項目名】００１４
【補正方法】変更
【補正の内容】
【００１４】
本発明は昇温あるいは振動等の外乱発生が生じても各走査光学装置間での書き出し位置ずれの少ない高品位なカラー画像を得ることができる走査光学ユニット及びそれを用いたカラー画像形成装置の提供を目的とする。
【手続補正５】
【補正対象書類名】明細書
【補正対象項目名】００１５
【補正方法】変更
【補正の内容】
【００１５】
請求項１の発明の走査光学ユニットは、光源手段と、前記光源手段から射出された光束を偏向手段に入射させる入射光学系と、前記偏向手段の偏向面により偏向走査された光束を被走査面の上に結像させる結像光学系と、前記偏向手段の偏向面により偏向走査された光束の一部を検出する同期検出素子と、前記偏向手段の偏向面で偏向走査された光束の一部を前記同期検出素子に導光する同期検出用光学系と、を有する走査光学装置を複数用いた走査光学ユニットであって、
前記複数の走査光学装置のうち、黒色画像を形成する走査光学装置の同期検出用光学系の主走査断面内の焦点距離をｆｇＢＫ（ｍｍ）、黒色画像を形成する走査光学装置の結像光学系の主走査断面内の焦点距離をｆＢＫ（ｍｍ）、黒色画像以外の色画像を形成する走査光学装置の同期検出用光学系の主走査断面内の焦点距離をｆｇｓ（ｍｍ）、黒色画像以外の色画像を形成する結像光学系の主走査断面内の焦点距離をｆｓ（ｍｍ）とするとき、
ｆＢＫ／ｆｇＢＫ＜ｆｓ／ｆｇｓ
なる条件を満足することを特徴としている。
【手続補正６】
【補正対象書類名】明細書
【補正対象項目名】００１６
【補正方法】変更
【補正の内容】
【００１６】
請求項２の発明は請求項１の発明において、前記黒色画像を形成する走査光学装置と、前記黒色画像以外の色画像を形成する走査光学装置は、
１．０＜（ｆｓ／ｆｇｓ）／（ｆＢＫ／ｆｇＢＫ）＜６．０
なる条件を満足することを特徴としている。
【手続補正７】
【補正対象書類名】明細書
【補正対象項目名】００１７
【補正方法】変更
【補正の内容】
【００１７】
請求項３の発明は請求項１又は２の発明において、前記黒色画像を形成する走査光学装置と、前記黒色画像以外の色画像を形成する走査光学装置は、
１＜ｆｓ／ｆｇｓ＜１０
１＜ｆＢＫ／ｆｇＢＫ＜１０
なる条件を満足することを特徴としている。
【手続補正８】
【補正対象書類名】明細書
【補正対象項目名】００１８
【補正方法】変更
【補正の内容】
【００１８】
請求項４の発明は請求項１乃至３のいずれか１項の発明において、前記複数の走査光学装置における同期検出用光学系を構成する同期検出用光学素子は、同一の光学性能であることを特徴としている。
【手続補正９】
【補正対象書類名】明細書
【補正対象項目名】００１９
【補正方法】変更
【補正の内容】
【００１９】
請求項５の発明のカラー画像形成装置は、請求項１乃至４の何れか一項に記載の走査光学ユニットと、前記複数の走査光学装置の被走査面の各々に設けられた互いに異なった色の画像を形成する複数の感光ドラムと、を有することを特徴としている。
【手続補正１０】
【補正対象書類名】明細書
【補正対象項目名】００２０
【補正方法】変更
【補正の内容】
【００２０】
請求項６の発明は請求項５の発明において、外部機器から入力した色信号を異なった色の画像データに変換して各々の走査光学装置に入力せしめるプリンタコントローラを有することを特徴としている。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
本発明によれば昇温あるいは振動等の外乱発生が生じても各走査光学装置間での書き出し位置ずれの少ない高品位なカラー画像を得ることができる走査光学ユニット及びそれを用いたカラー画像形成装置を達成することができる。
【手続補正１４】
【補正対象書類名】明細書
【補正対象項目名】００２４
【補正方法】変更
【補正の内容】
【００２４】
本発明の走査光学ユニットは、光源手段から射出した光束を偏向手段に導光する入射光学手段と、偏向手段により偏向走査された光束を被走査面の上に結像させる結像光学系とを有している。さらに、偏向手段により偏向走査された光束の一部を用いて被走査面上における画像開始タイミングを調整する同期検出用光学系を有する走査光学装置(走査ユニット)を複数用いている。
【手続補正１５】
【補正対象書類名】明細書
【補正対象項目名】０１６３
【補正方法】変更
【補正の内容】
【０１６３】
以上の結果から、本実施例の効果として、黒色（ＢＫ）側の走査光学装置ＳＢＫにおける感光ドラム面上での書き出し位置ずれを小さくなり、色ずれ量の小ささと小型化の両立を実現した走査光学ユニットを構成できる。
【手続補正１６】
【補正対象書類名】明細書
【補正対象項目名】０１８５
【補正方法】変更
【補正の内容】
【０１８５】
以上の結果から、本実施例の効果として、黒色（ＢＫ）側の走査光学装置ＳＢＫにおける感光ドラム面上での書き出し位置ずれを小さくなり、色ずれ量の小ささと小型化の両立を実現した走査光学ユニットを構成できる。